(57)【要約】【課題】メカニカルシャッターと電子シャッターを併用した場合に、レンズの条件に起因する露光ムラを低減する技術の実現。【解決手段】  撮像装置は、レンズを介して被写体像を受光して電荷として蓄積する撮像素子と、前記撮像素子の撮像領域を遮光するように走行するメカニカルシャッターと、前記撮像素子の撮像領域毎に順次、電荷の蓄積を開始する走査を行う走査手段と、前記電荷の蓄積を開始する走査と前記メカニカルシャッターの走行とを制御することによりシャッターの先幕及び後幕として機能させる制御手段と、前記レンズの条件を判定する判定手段と、前記レンズの条件に基づいて、シャッタースピードの最高秒時を変更する変更手段と、を有する。【選択図】図７
2008304565.tif 000002
【特許請求の範囲】
【請求項１】
レンズを介して被写体像を受光して電荷として蓄積する撮像素子と、
前記撮像素子の撮像領域を遮光するように走行するメカニカルシャッターと、
前記撮像素子の撮像領域毎に順次、電荷の蓄積を開始する走査を行う走査手段と、
前記電荷の蓄積を開始する走査と前記メカニカルシャッターの走行とを制御することによりシャッターの先幕及び後幕として機能させる制御手段と、
前記レンズの条件を判定する判定手段と、
前記レンズの条件に基づいて、シャッタースピードの最高秒時を変更する変更手段と、を有することを特徴とする撮像装置。
【請求項２】
レンズを介して被写体像を受光して電荷として蓄積する撮像素子と、
前記撮像素子の撮像領域を遮光するように走行する先幕及び後幕を持つメカニカルシャッターと、
前記撮像素子の撮像領域毎に順次、電荷の蓄積を開始する走査を行う走査手段と、
前記電荷の蓄積を開始する走査と前記メカニカルシャッターの走行とを制御することによりシャッターの先幕及び後幕として機能させる制御手段と、
前記レンズの条件を判定する判定手段と、
前記レンズの条件に基づいて、前記シャッターの先幕をメカニカルシャッターに切り替える切替手段と、を有することを特徴とする撮像装置。
【請求項３】
前記変更手段は、シャッタースピードの最高秒時が遅くなる方向に変更することを特徴とする請求項１に記載の撮像装置。
【請求項４】
前記判定手段は、前記レンズの条件として、レンズの瞳位置の有無、シフトレンズか否か、シフトレンズのシフト量、レンズの瞳位置を変更するための手段の有無、エクステンションチューブの有無の少なくともいずれかを判定することを特徴とする請求項１乃至３のいずれか１項に記載の撮像装置。
【請求項５】
レンズを介して被写体像を受光して電荷として蓄積する撮像素子と、
前記撮像素子の撮像領域を遮光するように走行するメカニカルシャッターと、
前記撮像素子の撮像領域毎に順次、電荷の蓄積を開始する走査を行う走査手段と、
前記電荷の蓄積を開始する走査と前記メカニカルシャッターの走行とを制御することによりシャッターの先幕及び後幕として機能させる制御手段と、を備える撮像装置の制御方法であって、
前記レンズの条件を判定する判定ステップと、
前記レンズの条件に基づいて、シャッタースピードの最高秒時を変更する変更ステップと、を有することを特徴とする制御方法。
【請求項６】
レンズを介して被写体像を受光して電荷として蓄積する撮像素子と、
前記撮像素子の撮像領域を遮光するように走行する先幕及び後幕を持つメカニカルシャッターと、
前記撮像素子の撮像領域毎に順次、電荷の蓄積を開始する走査を行う走査手段と、
前記電荷の蓄積を開始する走査と前記メカニカルシャッターの走行とを制御することによりシャッターの先幕及び後幕として機能させる制御手段と、を備える撮像装置の制御方法であって、
前記レンズの条件を判定する判定ステップと、
前記レンズの条件に基づいて、前記シャッターの先幕をメカニカルシャッターに切り替える切替ステップと、を有することを特徴とする制御方法。
【発明の詳細な説明】
【技術分野】
【０００１】
本発明は、メカニカルシャッターと電子シャッターとを併用した撮影制御技術に関するものである。
【背景技術】
【０００２】
一眼レフタイプのデジタルカメラには、先幕と後幕を持つメカニカルなフォーカルプレーンシャッター（以下、メカニカルシャッター）が組み込まれ、通常撮影時には上記先幕と後幕により露光時間を制限する。また、メカニカルシャッターと電子シャッターとを併用して撮像動作を行うものが提案されている。メカニカルシャッターと電子シャッターとを併用した機構では、上記後幕にメカニカルシャッターを使用し、後幕の走行に先行して、撮像素子の画素の電荷蓄積開始走査を行うことにより撮影が行われる。
【０００３】
ＣＭＯＳセンサを用いた撮像素子では、画素毎、或いは、複数画素からなる撮像領域毎に画素のリセット（画素の蓄積電荷量をゼロにする走査）を行う。その後、画素毎或いは領域毎にそれぞれ所定の時間を経過してから信号読み出しの走査を行うことで電子シャッターを実現できる。即ち、このような撮像素子の電荷蓄積開始走査では、例えば走査ライン毎に各画素のリセットが行われ、電荷蓄積が開始されることになる（以下、このような電荷蓄積開始走査をリセット走査と称する）。その後、メカニカルシャッターの後幕によって撮像素子が遮光された後、各画素の素子に蓄積された電荷を読み出す走査が行われる。従って、このリセット走査の走査パターンは、後幕のメカニカルシャッターの走行特性に合わせたものとなっている。
【特許文献１】特開平１１−４１５２３号公報（段落番号００４４〜００５０、図１〜図３等）
【発明の開示】
【発明が解決しようとする課題】
【０００４】
一般に、一眼レフタイプのデジタルカメラは撮影レンズの交換が可能であり、装着された撮影レンズによって焦点距離や射出瞳距離（撮像面からレンズの瞳位置までの距離）が変化する。そして、メカニカルシャッターと電子シャッターとを併用した場合、電子シャッターは撮像面で機能する一方、メカニカルシャッターは撮像面から光軸方向に離れて配置される。このため、上記焦点距離や射出瞳距離等によってメカニカルシャッターによる撮像面の遮光位置が変化し、特にリセット走査からメカニカルシャッターによる遮光までの時間が短い場合に、撮影レンズの条件によってシャッター走査方向に露出ムラが発生する。
【０００５】
ここで、撮影レンズの条件とは、瞳位置情報の有無、シフトレンズか否か、シフトレンズや防振レンズのシフト量、レンズに瞳位置を変更するアダプタが付属しているか否か、エクステンションチューブが装着されているか否か、等である。これらの要因によっても、メカニカルシャッターの後幕による撮像面の遮光位置が変化するため、上述したようなシャッター走査方向の露光ムラが発生することになる。
【０００６】
本発明は、上記課題に鑑みてなされ、その目的は、メカニカルシャッターと電子シャッターを併用した場合に、レンズの条件に起因するシャッター走査方向の露光ムラを低減する技術を実現することである。
【課題を解決するための手段】
【０００７】
上述の課題を解決するために、本発明の撮像装置は、レンズを介して被写体像を受光して電荷として蓄積する撮像素子と、前記撮像素子の撮像領域を遮光するように走行するメカニカルシャッターと、前記撮像素子の撮像領域毎に順次、電荷の蓄積を開始する走査を行う走査手段と、前記電荷の蓄積を開始する走査と前記メカニカルシャッターの走行とを制御することによりシャッターの先幕及び後幕として機能させる制御手段と、前記レンズの条件を判定する判定手段と、前記レンズの条件に基づいて、シャッタースピードの最高秒時を変更する変更手段と、を有する。
【０００８】
また、本発明の撮像装置は、レンズを介して被写体像を受光して電荷として蓄積する撮像素子と、前記撮像素子の撮像領域を遮光するように走行する先幕及び後幕を持つメカニカルシャッターと、前記撮像素子の撮像領域毎に順次、電荷の蓄積を開始する走査を行う走査手段と、前記電荷の蓄積を開始する走査と前記メカニカルシャッターの走行とを制御することによりシャッターの先幕及び後幕として機能させる制御手段と、前記レンズの条件を判定する判定手段と、前記レンズの条件に基づいて、前記シャッターの先幕をメカニカルシャッターに切り替える切替手段と、を有する。
【０００９】
また、本発明の撮像装置の制御方法は、レンズを介して被写体像を受光して電荷として蓄積する撮像素子と、前記撮像素子の撮像領域を遮光するように走行するメカニカルシャッターと、前記撮像素子の撮像領域毎に順次、電荷の蓄積を開始する走査を行う走査手段と、前記電荷の蓄積を開始する走査と前記メカニカルシャッターの走行とを制御することによりシャッターの先幕及び後幕として機能させる制御手段と、を備える撮像装置の制御方法であって、前記レンズの条件を判定する判定ステップと、前記レンズの条件に基づいて、シャッタースピードの最高秒時を変更する変更ステップと、を有する。
【００１０】
また、本発明の撮像装置の制御方法は、レンズを介して被写体像を受光して電荷として蓄積する撮像素子と、前記撮像素子の撮像領域を遮光するように走行する先幕及び後幕を持つメカニカルシャッターと、前記撮像素子の撮像領域毎に順次、電荷の蓄積を開始する走査を行う走査手段と、前記電荷の蓄積を開始する走査と前記メカニカルシャッターの走行とを制御することによりシャッターの先幕及び後幕として機能させる制御手段と、を備える撮像装置の制御方法であって、前記レンズの条件を判定する判定ステップと、前記レンズの条件に基づいて、前記シャッターの先幕をメカニカルシャッターに切り替える切替ステップと、を有する。
【発明の効果】
【００１１】
本発明によれば、メカニカルシャッターと電子シャッターを併用した場合に、レンズの条件に起因するシャッター走査方向の露光ムラを低減する技術を実現することができる。
【発明を実施するための最良の形態】
【００１２】
以下に、添付図面を参照して本発明を実施するための最良の形態について詳細に説明する。
【００１３】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１４】
［撮像装置の構成（図１）］
図１は、本発明に係る実施形態の撮像装置のブロック図である。
【００１５】
図１において、本実施形態の撮像装置は、例えばデジタルスチルカメラであり、１はカメラ本体である。
【００１６】
２は被写体の光学像を受光して光電変換するＣＭＯＳセンサ等からなる撮像素子である。
【００１７】
３は画像処理回路であり、撮像素子２からの電荷信号或いは画像メモリ４からのデータに対して所定の画素補間処理や色変換処理を行う。画像処理回路３は、撮像した画像データを用いて所定の演算処理を行い、得られた演算結果に基づいてＴＴＬ方式のＡＷＢ（オートホワイトバランス）処理も行っている。
【００１８】
４は画像メモリであり、画像処理回路３からのデータが書き込まれる。
【００１９】
５はカメラ本体１全体を制御するＣＰＵ等の演算処理回路からなるカメラ制御回路である。
【００２０】
６は、撮像素子２及び画像処理回路３にクロック信号や制御信号を供給するタイミング発生回路である。
【００２１】
７は、シャッター１４のレリーズ操作を行うためのレリーズ装置であり、不図示のシャッターボタンの操作途中（半押し）でスイッチＳＷ１がＯＮとなり、ＡＦ（オートフォーカス）処理、ＡＥ（自動露出）処理等の動作開始を指示する。また、レリーズ装置７は、不図示のシャッターボタンの操作完了（全押し）でＳＷ２がＯＮとなり、撮像素子２から読み出した電荷信号を画像処理回路３に出力する。
【００２２】
８は、撮影した画像データを格納するためのハードディスク等の外部記憶装置であり、所定枚数の静止画像や所定時間の動画像を格納するのに十分な記憶量を備えている。
【００２３】
９は、焦点距離情報からフォーカス位置の調整を行うＡＦ装置である。
【００２４】
１０は、被写体の測光情報から露出調整を行うＡＥ装置である。
【００２５】
１１は、カメラ制御回路５でのプログラムの実行に応じて、文字、画像、音声等を用いて動作状態やメッセージ等を表示する液晶表示パネル等からなる外部表示装置である。
【００２６】
１２は、ファインダー観察状態では撮影光路内に斜設され、撮影状態では撮影光路外に退避するミラーをアップ又はダウンさせるためのミラー駆動回路である。
【００２７】
１３はシャッター１４を駆動するシャッター駆動回路である。
【００２８】
１４はレンズ本体５０から撮像素子２に入射する光束を制御するための先幕と後幕を持つメカニカルシャッターであり、通常撮影時にはメカニカルシャッター１４の後幕と電子シャッターを併用して撮像動作を行う。即ち、撮像素子２のリセット走査とメカニカルシャッター１４の後幕の走行とを制御することにより電子先幕とメカ後幕とを実現する。また、後述する電子先幕からメカニカルシャッター１４への切替時には、メカニカルシャッター１４の先幕と後幕により露光時間を制限するものである。
【００２９】
レンズ本体５０はカメラ本体１に対して着脱可能に装着され、通信線や電源からなるコネクタによりカメラ本体１に対して電気的に接続されている。
【００３０】
５１は撮影レンズであり、フォーカスレンズ群やズームレンズ群からなる。図１では各レンズ群を便宜上１枚のレンズで記述したが、実際には多数のレンズにより複雑なレンズ群の組み合わせで構成されている。
【００３１】
５２は撮影時の光量を調整するための絞りである。
【００３２】
５３は後述するフォーカス駆動や絞り駆動等を制御すると共に、カメラ制御回路５と通信するＣＰＵ等の演算処理回路からなるレンズ制御回路である。
【００３３】
５４は、レンズ制御回路５３からの指令に基づき、レンズを光軸方向に駆動するレンズ駆動回路である。
【００３４】
５５は、レンズ制御回路５３からの指令に基づき、絞り５２を駆動する絞り駆動回路である。
【００３５】
［撮影動作（図１）］
次に、図１を参照して、カメラ本体１とレンズ本体５０の動作について説明する。
【００３６】
レリーズ装置７のＳＷ１がＯＮされると、カメラ制御回路５はＡＦ装置９にＡＦ処理の指示を出力し、ＡＥ装置１０にはＡＥ処理の指示を出力する。
【００３７】
ＡＦ装置９は、現在のデフォーカス状態を判定し、カメラ制御回路５はデフォーカス状態から焦点距離情報を演算し、レンズ本体５０のレンズ制御回路５３へ出力する。レンズ制御回路５３は、カメラ制御回路５から得た焦点距離情報に基づき、レンズ駆動回路５４に制御指令を出力し、撮影レンズ５１を駆動し焦点位置を合わせる。
【００３８】
ＡＥ装置１０は、現在の被写体の明るさを測光し、カメラ制御回路５は測光結果から測光情報を演算し、カメラの設定に従った露光時間と絞り値を決定する。
【００３９】
上記ＡＦ処理及びＡＥ処理が終了し、レリーズ装置７のＳＷ２がＯＮされたならば、カメラ制御回路５は、レンズ制御回路５３に制御指令を出力し、絞り駆動回路５５はレンズ制御回路５３の指令に従って絞り５２を所定値に駆動する。
【００４０】
次に、カメラ制御回路５は、ミラー駆動回路１２に制御指令を出力し、不図示のミラーを観察状態から撮影状態へ移動させる。
【００４１】
次に、カメラ制御回路５はシャッター制御回路１３とタイミング制御回路６へそれぞれ制御指令を出力し、撮像素子２の電荷蓄積を開始する走査とメカニカルシャッター１４の走行を制御することにより電子先幕とメカ後幕として機能させながら撮像を行う。
【００４２】
撮像素子２に蓄積された電荷は順次画像処理回路３に読み出し画像処理が施され、画像メモリ４へ書き込まれる。
【００４３】
画像メモリ４に一旦保存された画像データは、外部記憶装置８へ転送され、記録される。
【００４４】
［電子先幕とメカ後幕の動作］
図２は、撮像素子とメカニカルシャッターの後幕とを光軸方向に沿ってレンズ側から見た図であり、レリーズ装置７により撮影が開始された後の電子先幕のリセット走査とメカ後幕の走行が行われている状態を示している。
【００４５】
図２において、矢印２０は、電子先幕のリセット走査の走査方向（電子先幕の走行方向）と、メカ後幕の走行方向をそれぞれ示しており、レンズ本体５０を介して撮像素子２の撮像面に被写体像が結像する。２１は、撮像素子２の撮像面、１５はメカニカルシャッター１４のメカ後幕である。図２では、メカ後幕１５が撮像面２１の一部の領域を遮光している状態が示されている。２ａは、撮像素子２におけるリセット走査を行っているライン（リセットライン）を示す。
【００４６】
上記リセット走査はリセットライン２ａ上の画素の蓄積電荷量をゼロにするものであり、リセットライン２ａは電子先幕の先端に相当する。
【００４７】
リセットライン２ａとメカ後幕１５の先端部１５ａとの間のスリットによって形成される領域２２は、撮像素子２において露光による電荷蓄積が行われている撮像領域（電荷蓄積領域）である。電荷蓄積領域２２は電子先幕とメカ後幕の走行に従って、矢印２０の方向へ移動していくことになる。撮像素子２の画素において、リセットライン２ａが通過してから、つまりリセット走査が開始されてから、メカ後幕１５によって遮光状態となるまでの時間が、当該画素の露光による電荷蓄積時間となる。リセットライン２ａが矢印２０の方向へ走行して各ラインの電荷蓄積が開始されるので、電荷蓄積の開始タイミングは撮像素子２のライン毎に異なる。
【００４８】
［瞳位置と露光時間との関係］
次に、図３及び図４を参照して、レンズ本体５０の瞳位置に応じて露光時間が変化する理由について説明する。
【００４９】
図３及び図４は、撮影レンズの瞳位置、電子先幕、及びメカ後幕の関係を示す図である。
【００５０】
図３及び図４において、５０２は焦点距離が長く、射出瞳距離が長い状態のレンズを示し、５０１は焦点距離が短く、射出瞳距離が短い状態のレンズをそれぞれ示している。また、１６はシャッター地板、１７はシャッター羽根押さえである。
【００５１】
図３は撮影動作における最高秒時を用いたシャッターの開き始めの状態を示しており、スリット幅Ａ１は、射出瞳距離の短いレンズ５０１の光束がメカ後幕１５によって遮光されるライン１５ａとリセットライン２ａとによって形成される領域の幅を示している。また、スリット幅Ｂ１は、射出瞳距離が長いレンズ５０２の光束がメカ後幕１５によって遮光されるライン１５ａとリセットライン２ａとによって形成される領域の幅を示している。
【００５２】
図３に示すタイミングでは、スリット幅Ａ１がスリット幅Ｂ１よりも大きいため、電子先幕及びメカ後幕を同じ条件で駆動すると、スリット幅Ｂ１の領域におけるレンズ５０１を用いた露光時間はレンズ５０２を用いた露光時間より長くなる。従って、レンズ５０１で露出が適正となるように電子先幕のリセット走査の走査パターンが設定されていた場合、シャッターの開き出しにおいては、レンズ５０２で撮影されたときの露出がアンダーとなってしまう。
【００５３】
図４は撮影動作後半（撮影終了間近）の状態を示しており、スリット幅Ａ２は、焦点距離が短く、射出瞳距離の短いレンズ５０１の光束がメカ後幕１５によって遮光されるライン１５ａとリセットライン２ａとによって形成される領域の幅を示している。また、スリット幅Ｂ２は、焦点距離が長く、射出瞳距離が短いレンズ５０２の光束がメカ後幕１５の１５ａによって遮光されるライン１５ａとリセットライン２ａとによって形成される領域の幅を示している。
【００５４】
図４に示すタイミングでは、図３に示したシャッターの開き始めの状態とは逆に、スリット幅Ｂ２がスリット幅Ａ２よりも大きい。このため、電子先幕及びメカ後幕を同じ条件で駆動する場合、スリット幅Ａ２の領域におけるレンズ５０１を用いた露光時間はレンズ５０２を用いた露光時間より短くなる。従って、レンズ５０１で露出が適正となるように電子先幕のリセット走査の走査パターンが設定されていた場合、レンズ５０２で撮影されたときの露出がオーバーになってしまう。
【００５５】
以上述べた理由により瞳位置の差によって最適な電子先幕のリセット走査のタイミングは変化する。
【００５６】
次に、図５及び図６を参照して、上述した露出ムラを低減するために露光時間を長くする、つまりシャッタースピードを遅くする場合について説明する。
【００５７】
図５及び図６において、図３及び図４と同じ部材には同一符号を付して示している。
【００５８】
先ず、図５において、射出瞳距離が短いレンズ５０１に対応するスリット幅Ａ１’は、図３のスリット幅Ａ１と比較して約２倍の大きさとする。ここで、射出瞳距離が長いレンズ５０２に対応するスリット幅Ｂ１’はスリット幅Ａ１’よりも短いものの、図３のスリット幅Ａ１とＢ１の差と比較すると極めて小さな差となっている。
【００５９】
同様に、図６において、射出瞳距離が短いレンズ５０１に対応するスリット幅Ａ２’は図４のスリット幅Ａ２と比較して約２倍の大きさとする。ここで、射出瞳距離が長いレンズ５０２に対応するスリット幅Ｂ２’はスリット幅Ａ２’よりも短いものの、図４のスリット幅Ａ２とＢ２の差と比較すると極めて小さな差となっている。
【００６０】
即ち、シャッタースピードを遅くしていくことにより、瞳位置の差による露出ムラの状態が緩和されていくことがわかる。また、シャッタースピードに対する誤差量は１／２乗に比例して減少し、つまりシャッターの最高秒時を１段遅くすれば誤差量は１／２、２段遅くすれば１／４に減少することになる。
【００６１】
図３及び図４は最高秒時の状態であるので、最高秒時から２段遅くすることで、全てのレンズで略瞳位置の誤差を吸収できることになる。これは、シャッタースピードが１／２０００秒程度まで遅くなれば、レンズ毎の瞳位置によるスリット幅の差が無視できる程度の差になるからである。
【００６２】
［動作フロー（第１の実施形態）］
次に、図７のフローを参照して、第１の実施形態によるレンズの条件に応じたシャッターの最高秒時の変更処理について説明する。
【００６３】
図７において、処理が開始されると、カメラ制御回路５は、レンズ本体５０からレンズに関する情報を取得する（Ｓ１）。ここで、カメラ制御回路５は、レンズ本体５０のレンズ制御回路５３と通信を行い、カメラ本体１に装着されたレンズ本体５０の必要な情報が送受信される。
【００６４】
次に、カメラ制御回路５は、Ｓ１で取得したレンズ情報からレンズの条件を判定する（Ｓ２）。Ｓ２において、レンズ本体５０が通常のレンズならば、撮影シーケンスへ移行する（Ｓ３）。ここでは、カメラ制御回路５は、Ｓ１で取得したレンズ情報に合わせて最適な電子先幕の走行特性を設定する。
【００６５】
また、カメラ制御回路５は、Ｓ２において、レンズの瞳位置に関する情報が無い若しくは瞳位置に関する情報が不明の場合、最適な電子先幕の走行特性が得られないため、他のレンズの条件に応じて最適なシャッタースピードの最高秒時を決定する（Ｓ４）。具体的には、シャッタースピードの最高秒時を２段程度遅くする。即ち、１／８０００秒が最高秒時であるならば、１／２０００秒程度まで遅くなる方向に変更する。これにより、図５及び図６で説明したように、露出ムラの少ない適正な画像を得ることが可能となる。
【００６６】
次に、カメラ制御回路５は、Ｓ４で決定した最高秒時に設定を変更し、撮影シーケンスに移行する（Ｓ３）。
【００６７】
尚、Ｓ２では、レンズの瞳位置に関する情報の有無の他、レンズの瞳位置を変更するための手段の有無やエクステンションチューブの有無に応じて判定しても良い。
【００６８】
［動作フロー（第２の実施形態）］
次に、図８のフローを参照して、第２の実施形態によるレンズの条件に応じたシャッターの切替処理について説明する。
【００６９】
図８において、図７と同一の処理には同一の符号を付して示している。
【００７０】
第１の実施形態と異なる点は、Ｓ２でレンズ本体５０が通常のレンズでない場合に、電子先幕からメカニカルシャッターの先幕に切り替えるところである。メカニカルシャッターは電子先幕のような誤差を持たないので、適正な露出の画像を得ることが可能となる。
【００７１】
［シフトレンズのシフト量と露光時間との関係］
次に、図９及び１０を参照して、シフトレンズのシフト量に応じて露光時間が変化する理由について説明する。
【００７２】
図９及び図１０は、シフトレンズのシフト量、電子先幕、及びメカ後幕の関係を示す図であり、図３及び図４と同一の部材には同一の符号を付して示している。
【００７３】
図中、６０１はシフトレンズのシフト無しの状態を表し、６０１’はシフトレンズが大きくシフトした状態を表している。
【００７４】
図９は撮影動作における最高秒時を用いたシャッターの開き始めの状態を示している。スリット幅Ｃ１は、シフト量ゼロのレンズ６０１の光束がメカ後幕１５によって遮光されるライン１５ａとリセットライン２ａとによって形成される領域の幅を示している。また、スリット幅Ｄ１は、シフトを大きくしたレンズ６０１’の光束がメカ後幕１５によって遮光されるライン１５ａとリセットライン２ａとによって形成される領域の幅を示している。
【００７５】
図９に示すタイミングでは、スリット幅Ｃ１がスリット幅Ｄ１よりも大きい。このため、電子先幕及びメカ後幕を同じ条件で駆動する場合、スリット幅Ｄ１の領域において、シフトゼロのレンズ６０１を用いた露光時間はシフト量が大のレンズ６０１’を用いた露光時間より長くなる。従って、シフト量ゼロのレンズ６０１で適正露光が得られるように電子先幕のリセット走査の走査パターンが設定されていた場合、シャッターの開き出しにおいては、シフト量が大のレンズ６０１’で撮影されたとき、露出がアンダーなってしまう。
【００７６】
また、図１０は撮影動作後半（撮影終了間近）の状態を示し、スリット幅Ｃ２は、シフト量ゼロのレンズ６０１の光束がメカ後幕１５の遮光されるライン１５ａとリセットライン２ａとによって形成される領域の幅を示している。また、スリット幅Ｂ２は、シフト量を大きくしたレンズ６０１’の光束がメカ後幕１５によって遮光されるライン１５ａとリセットライン２ａとによって形成される領域の幅を示している。
【００７７】
図１０に示すタイミングでは、図９に示したシャッターの開き始めの状態と同様に、スリット幅Ｄ２がスリット幅Ｃ２よりも小さい。このため、電子先幕及びメカ後幕を同じ条件で駆動する場合、スリット幅Ｄ１の領域において、シフトゼロのレンズ６０１を用いた場合の露光時間はシフト量が大のレンズ６０１’を用いた場合の露光時間より長くなる。従って、シフト量ゼロのレンズ６０１で適正露光が得られるように電子先幕のリセット走査の走査パターンが設定されていた場合、シャッターの開き出しにおいては、シフト量が大のレンズ６０１’で撮影されたとき、露出がアンダーとなってしまう。
【００７８】
次に、図１１及び図１２を参照して、上述した露出ムラを低減するために露光時間を長くする、つまりシャッタースピードを遅くする場合について説明する。
【００７９】
図１１及び図１２において、図９及び図１０と同じ部材には同一符号を付して示している。
【００８０】
先ず、図１１において、シフト量ゼロのレンズ６０１に対応するスリット幅Ｃ１’が図９のスリット幅Ｃ１と比較して約２倍の長さとする。ここで、シフト量が大のレンズ６０１’に対応するスリット幅Ｄ１’はシフト量ゼロのスリット幅Ｃ１’よりも短いものの、図９のスリット幅Ｃ１及びＤ１の差と比較すると極めて小さな差となっている。
【００８１】
同様に、図１２において、シフト量ゼロのレンズ６０１に対応するスリット幅Ｃ２’が図１０のスリット幅Ｃ２と比較して約２倍の長さとする。ここで、シフト量が大のレンズ６０１’に対応するスリット幅Ｄ２’はシフト量ゼロのスリット幅Ｃ２’よりも短いものの、図１０のスリット幅Ｃ２及びＤ２の差と比較すると極めて小さな差となっている。
【００８２】
このように、シフトレンズの場合にも、図５及び図６で説明した場合と同様に、シャッタースピードを遅くしていくことにより、瞳位置の差による露出ムラの状態が緩和されることがわかる。
【００８３】
［動作フロー（第３の実施形態）］
図１３のフローを参照して、第３の実施形態によるレンズの条件に応じたシャッタースピードの最高秒時の変更処理について説明する。
【００８４】
図１３において、図７と同一の処理には同一の符号を付して示している。
【００８５】
第３の実施形態では、Ｓ３２でレンズ本体５０がシフトレンズならば、カメラ制御回路５はレンズ本体５０からシフト量を取得する（Ｓ３３）。
【００８６】
次に、カメラ制御回路５は、Ｓ３３で取得したシフト量から最適なシャッターの最高秒時を演算する（Ｓ３４）。ここでは、シフト量の大きさに応じてシャッターの最高秒時を遅くなる方向に変更する。
【００８７】
次に、カメラ制御回路５は、Ｓ３４で演算された最高秒時に設定を変更し、撮影シーケンス（Ｓ３）に移行する（Ｓ３５）。
【００８８】
上記第３の実施形態によれば、シフトレンズが装着されている場合はシフト量から最適なシャッターの最高秒時を決定し設定可能であるので、電子先幕にてシフトレンズを使用した場合でも適正な露出の画像を得ることが可能となる。
【００８９】
［動作フロー（第４の実施形態）］
次に、図１４のフローを参照して、第４の実施形態によるレンズの条件に応じたシャッターの切替処理について説明する。
【００９０】
図１４において、図１３と同一の処理には同一の符号を付して示している。
【００９１】
第３の実施形態と異なる点は、Ｓ３２でレンズ本体５０がシフトレンズで且つシフト量が所定値以上ならば、電子先幕からメカニカルシャッターの先幕に切り替える一方、Ｓ４４でシフト量が所定値未満ならば、電子先幕を維持するところである。メカニカルシャッターは電子先幕のような誤差を持たないので、シフト量が所定値以上の場合にメカニカルシャッターの先幕に切り替えることで、シフトレンズが装着された場合であっても、適正な露出の画像を得ることが可能となる。
【００９２】
尚、本発明の目的は、前述した実施形態の機能を実現するソフトウェアのプログラムコードを格納した記憶媒体（又は記録媒体）をカメラに供給ことによっても達成されることは言うまでもない。この場合、カメラのコンピュータ（又はCPUやMPU）が記憶媒体からプログラムコードを読み出して実行することによって達成される。
【００９３】
本発明を上記記憶媒体に適用する場合、その記憶媒体には、先に説明した図５、図６の各フローチャートの処理を実行する制御プログラムや各種テーブルが格納されることになる。これらのプログラムコードは、例えば、アップデート可能なファームウェアとしても提供可能である。
【図面の簡単な説明】
【００９４】
【図１】本発明に係る実施形態の撮像装置のブロック図である。
【図２】撮像素子とメカニカルシャッターの後幕とを光軸方向に沿ってレンズ側から見た図である。
【図３】撮影レンズの瞳位置、電子先幕、及びメカ後幕の関係を示す図である。
【図４】撮影レンズの瞳位置、電子先幕、及びメカ後幕の関係を示す図である。
【図５】撮影レンズの瞳位置、電子先幕、及びメカ後幕の関係を示す図である。
【図６】撮影レンズの瞳位置、電子先幕、及びメカ後幕の関係を示す図である。
【図７】第１の実施形態によるレンズの条件に応じた露光時間の変更処理を示すフローチャートである。
【図８】第２の実施形態によるレンズの条件に応じたシャッターの切替処理を示すフローチャートである。
【図９】シフトレンズのシフト量、電子先幕、及びメカ後幕の関係を示す図である。
【図１０】シフトレンズのシフト量、電子先幕、及びメカ後幕の関係を示す図である。
【図１１】シフトレンズのシフト量、電子先幕、及びメカ後幕の関係を示す図である。
【図１２】シフトレンズのシフト量、電子先幕、及びメカ後幕の関係を示す図である。
【図１３】第３の実施形態によるレンズの条件に応じた露光時間の変更処理を示すフローチャートである。
【図１４】第４の実施形態によるレンズの条件に応じたシャッターの切替処理を示すフローチャートである。
【符号の説明】
【００９５】
１  カメラ本体
２  撮像素子
３  画像処理回路
４  画像メモリ
５  カメラ制御回路
６  タイミング制御回路
７  レリーズ装置
８  外部記憶装置
９  ＡＦ装置
１０  ＡＥ装置
１１  外部表示装置
１２  ミラー駆動回路
１３  シャッター駆動回路
１４  メカニカルシャッター
１５  メカ後幕
１６  シャッター地板
１７  シャッター羽根押さえ
２１  撮像面
２２  電荷蓄積領域
５０  レンズ本体
５１  撮影レンズ
５２  絞り
５３  レンズ制御回路
５４  レンズ駆動回路
５５  絞り駆動回路
【図１】
2008304565.tif 000003
【図２】
2008304565.tif 000004
【図３】
2008304565.tif 000005
【図４】
2008304565.tif 000006
【図５】
2008304565.tif 000007
【図６】
2008304565.tif 000008
【図７】
2008304565.tif 000009
【図８】
2008304565.tif 000010
【図９】
2008304565.tif 000011
【図１０】
2008304565.tif 000012
【図１１】
2008304565.tif 000013
【図１２】
2008304565.tif 000014
【図１３】
2008304565.tif 000015
【図１４】
2008304565.tif 000016